(57)【要約】【課題】トップシートと吸収体との間に拡散シートを設けた吸収性物品において、拡散シートからトップシートへの液戻りを抑制された吸収性物品を提供する。【解決手段】吸収性物品は、透液性のトップシートと、不透液性のバックシートと、これらのトップシートとバックシートとの間に配置された吸収体と、前記トップシートと前記吸収体との間に配置された拡散シートと、前記トップシートと前記拡散シートとの間に配置されたカバーシートとを有し、前記カバーシートが、基材に、複数の貫通孔が形成されたシートであり、前記基材が、合成樹脂フィルムであることを特徴とする。【選択図】図３
2018057654.tif 000002
【特許請求の範囲】
【請求項１】
透液性のトップシートと、不透液性のバックシートと、これらのトップシートとバックシートとの間に配置された吸収体と、前記トップシートと前記吸収体との間に配置された拡散シートと、前記トップシートと前記拡散シートとの間に配置されたカバーシートとを有し、
前記カバーシートが、基材に、複数の貫通孔が形成されたシートであり、
前記基材が、合成樹脂フィルムであることを特徴とする吸収性物品。
【請求項２】
前記カバーシートの基材が、合成樹脂フィルムと短繊維不織布との積層体であり、
前記短繊維不織布が、前記トップシートに接するように配置されている請求項１に記載の吸収性物品。
【請求項３】
前記カバーシートの平面視形状が前記拡散シートの平面視形状よりも大きく、
前記カバーシートが、前記拡散シート全体を覆うように配置されている請求項１または２に記載の吸収性物品。
【請求項４】
前記拡散シートと前記カバーシートとの間に、親水性繊維を含有する繊維シートが配置されている請求項１〜３のいずれか一項に記載の吸収性物品。
【請求項５】
前記吸収体が、前部、股部および後部を有し、前記股部が前記前部および前記後部よりも幅狭に形成されており、
前記吸収体の前記股部の最も幅が狭い部分を幅方向に横断する横断線の上方には、前記拡散シートが配置されていない請求項１〜４のいずれか一項に記載の吸収性物品。
【請求項６】
前記拡散シートが、平面方向に連続する細孔を有するフォームを含む請求項１〜５のいずれか一項に記載の吸収性物品。
【発明の詳細な説明】
【技術分野】
【０００１】
本発明は、吸収性物品に関し、特にトップシートと吸収体との間に拡散シートを設けた吸収性物品に関する。
【背景技術】
【０００２】
使い捨ておむつ、失禁パッドなどの吸収性物品には吸収体が備えられている。吸収体は、吸水性樹脂粉末を有しており、この吸水性樹脂粉末が身体から排出される尿などの体液を吸収、保持する。このような吸収性物品において、体液等の吸収速度を高めたり、体液等を吸収体全体に導いたりするために、拡散シートを配置することが提案されている。
【０００３】
例えば、特許文献１には、液透過性材料からなる表面シートと非液透過性材料からなる裏面シートとの間に吸収体を配在した吸収性物品において、発泡体からなり親水性で且実質的に膨潤しないシート状物を、前記表面材と吸収体との間に、吸収体の少なくとも一部を被覆して配したことを特徴とする吸収性物品が記載されている（特許文献１（請求項１、段落００１１）参照）。
【０００４】
特許文献２には、透液性のトップシートと、撥水性または不透液性のバックシートと、前記トップシートと前記バックシートとの間に配置され前後方向に伸びる吸収体と、前記吸収体と前記トップシートとの間に配置される拡散部とを備え、前記拡散部が、前記前後方向に伸びるシート状の拡散層と、前記拡散層と前記トップシートとの間に配置されるシート状部材であることを特徴とする吸収性物品が記載されている（特許文献２（請求項１、段落００２５）参照）。
【０００５】
また、吸収性物品において、吸収体に吸収された体液の逆戻りを防止する技術が提案されている。例えば、特許文献３には、トップシートとバックシートとこれらの間に配された吸収体とを有するとともに、前記トップシートと前記吸収体との間にセカンドシートが配された吸収性物品であって、前記セカンドシートは、トップシート側から不織布層とプラスチックフィルム層とを有する積層体から構成され、複数の貫通孔が形成されている吸収性物品が記載されている（特許文献３（段落０００５）参照）。
【先行技術文献】
【特許文献】
【０００６】
【特許文献１】特開２００５−１５２２５０号公報
【特許文献２】特開２０１５−１６７７２３号公報
【特許文献３】特開２０１６−０１９６１６号公報
【発明の概要】
【発明が解決しようとする課題】
【０００７】
従来、体液等の吸収速度を高めたり、体液等を吸収体全体に導いたりするために、拡散シートを配置した吸収性物品が提案されている。このような吸収性物品において、拡散シートは、トップシートと吸収体との間に配置されることが多い。しかしながら、拡散シートには少なからず体液が残存してしまうため、この拡散シートに残存した体液が、トップシートに移行してしまうという問題があった。
【０００８】
本発明は、上記事情に鑑みてなされたものであり、トップシートと吸収体との間に拡散シートを設けた吸収性物品において、拡散シートからトップシートへの液戻りを抑制された吸収性物品を提供することを目的とする。
【課題を解決するための手段】
【０００９】
本発明の吸収性物品は、透液性のトップシートと、不透液性のバックシートと、これらのトップシートとバックシートとの間に配置された吸収体と、前記トップシートと前記吸収体との間に配置された拡散シートと、前記トップシートと前記拡散シートとの間に配置されたカバーシートとを有し、前記カバーシートが、基材に、複数の貫通孔が形成されたシートであり、前記基材が、合成樹脂フィルムであることを特徴とする。
【００１０】
前記カバーシートは、基材が合成樹脂フィルムと短繊維不織布との積層体であり、前記短繊維不織布が前記トップシートに接するように配置されていることが好ましい。前記カバーシートの平面視形状が前記拡散シートの平面視形状よりも大きく、前記カバーシートが、前記拡散シート全体を覆うように配置されていることが好ましい。
【００１１】
前記拡散シートと前記カバーシートとの間に、親水性繊維を含有する繊維シートが配置されていることが好ましい。前記吸収体が、前部、股部および後部を有し、前記股部が前記前部および前記後部よりも幅狭に形成されており、前記吸収体の前記股部の最も幅が狭い部分を幅方向に横断する横断線の上方には、前記拡散シートが配置されていないことが好ましい。前記拡散シートは、平面方向に連続する細孔を有するフォームを含むことが好ましい。
【発明の効果】
【００１２】
本発明によれば、トップシートと吸収体との間に拡散シートを設けた吸収性物品において、拡散シートからトップシートへの液戻りを抑制された吸収性物品が得られる。
【図面の簡単な説明】
【００１３】
【図１】カバーシートの一例の平面図。
【図２】図１のＶ−Ｖ線の模式的断面図。
【図３】本発明の吸収性物品の一例の平面図。
【図４】図３のＡ−Ａ線の模式的断面図。
【図５】図３のＢ−Ｂ線の模式的断面図。
【図６】本発明の吸収性物品の他の例の平面図。
【図７】図６のＡ−Ａ線の模式的断面図。
【図８】図６のＢ−Ｂ線の模式的断面図。
【図９】本発明の吸収性物品の他の例の平面図。
【図１０】図９のＡ−Ａ線の模式的断面図。
【図１１】図９のＢ−Ｂ線の模式的断面図。
【発明を実施するための形態】
【００１４】
本発明の吸収性物品は、透液性のトップシートと、不透液性のバックシートと、これらのトップシートとバックシートとの間に配置された吸収体と、前記トップシートと前記吸収体との間に配置された拡散シートと、前記トップシートと前記拡散シートとの間に配置されたカバーシートとを有し、前記カバーシートが、基材に、複数の貫通孔が形成されたシートであり、前記基材が、合成樹脂フィルムであることを特徴とする。
【００１５】
前記カバーシートの合成樹脂フィルムは、不透液性であるため、前記拡散シートに残存した体液が、トップシートへ移ることを防止できる。また、複数の貫通孔を有することにより、トップシートを透過した体液がカバーシート上へと到達した場合でも、この貫通孔を通して体液を拡散シートへと透過させることができる。
【００１６】
本発明において、前後方向とは、吸収性物品を着用者が着用した際、着用者の股間の前後方向に延びる方向を意味する。前後方向において、着用者の腹側に当てられる位置を前側と称し、着用者の背側に当てられる位置を後側と称する。幅方向とは、吸収性物品を平面視した際に、前後方向と直交する方向を意味する。また、本発明において、上側とは吸収性物品を着用した際の着用者側を意味し、下側とは吸収性物品を着用した際の着用者とは反対側、すなわち外側を意味する。上側から下側に延びる方向を、上下方向と称する。
【００１７】
１．拡散シート
前記拡散シートは、前記トップシートと前記吸収体との間に配置される。前記拡散シートは、拡散シートに到達した体液等を拡散シート内部で、前後方向および幅方向に速やかに拡散する。
【００１８】
前記拡散シートの平面視形状は特に限定されず、矩形状、台形状、円形状、楕円形状などが挙げられる。前記拡散シートの前後方向の長さは、前記吸収体の前後方向の長さを１００％としたとき、２０％以上が好ましく、より好ましくは３０％以上であり、４５％以下が好ましく、より好ましくは４０％以下である。前記拡散シートの幅は、拡散シートが配置される位置の吸収体の幅を１００％とした時、３０％以上が好ましく、より好ましくは３５％以上、さらに好ましくは４０％以上であり、７０％以下が好ましく、より好ましくは６０％以下、さらに好ましくは５０％以下である。
【００１９】
前記拡散シートは、前記拡散シートの平面視形状の全体が、前記吸収体の上方に上下方向に重なるように配置される。このように配置することで、拡散シート内で分散された体液が、最終的に吸収体へと取込まれやすくなる。前記拡散シートの外周縁は、前記吸収体の外周縁よりも内方に位置することが好ましい。前記吸収体の外周縁から直近の拡散シートの外周縁までの距離は、２５ｍｍ以上が好ましく、より好ましくは２８ｍｍ以上、さらに好ましくは３１ｍｍ以上である。
【００２０】
前記吸収体が、前部、股部および後部を有し、前記股部が前記前部および前記後部よりも幅狭に形成されている場合、前記吸収体の前記股部の最も幅が狭い位置（以下、「最狭部」と称する場合がある。）を幅方向に横断する横断線の上方には、前記拡散シートが配置されていないことが好ましい。前記最狭部は、使用者の排尿口付近に位置する。また、前記最狭部は、吸収体の幅が狭いため、最も横漏れが生じやすい部分である。この最狭部に拡散シートが存在すると、トップシートを透過した体液等が拡散シートによって幅方向に拡散され、横漏れが発生しやすくなる。
【００２１】
また、横漏れの発生を一層低減するには、前記最狭部付近は拡散シートを配置しないことが好ましい。よって、前記拡散シートを配置しない領域は、前記横断線から前後方向へ６５ｍｍ以内が好ましく、より好ましくは６０ｍｍ以内、さらに好ましくは５５ｍｍ以内である。
【００２２】
前記拡散シートは、１枚のみ配置してもよいし、複数枚配置してもよい。前記拡散シートの配置態様としては、前記吸収体の横断線よりも後側にのみ配置する態様；前記吸収体の横断線よりも前側にのみ配置する態様；前記吸収体の横断線の後ろ側および前側の両方に配置する態様；が挙げられる。
【００２３】
前記拡散シートは、後述するように前記吸収体が凹部を有する場合、前記吸収体の凹部の前端部および／または後端部を覆うように配置されていることが好ましい。つまり、前記拡散シートは、前記吸収体の凹部内を前後方向に拡散された体液を、凹部の前端部／後端部にて、拡散シート内へと取込めるように配置されていることが好ましい。このように配置することで、前記吸収体の凹部内を前後方向に分散された体液が、吸収体の前端部および／または後端部に到達すると、直ちに拡散シートに取り込まれる。そして、拡散シート内で前後方向および幅方向に分散された後、拡散シートの下方にある吸収体へと移行する。よって、トップシートを透過した体液は、吸収体の凹部および拡散シートを経て、吸収体の広範囲に素早く分散され、即座に吸収、保持される。
【００２４】
前記拡散シートの配置態様としては、前記吸収体の凹部の前端部を覆う拡散シートのみ配置した態様；前記吸収体の凹部の後端部を覆う拡散シートのみ配置した態様；前記吸収体の凹部の前端部を覆う拡散シートと、前記吸収体の凹部の後端部を覆う拡散シートとを配置した態様が挙げられる。
【００２５】
前記前端部用の拡散シートは、複数枚配置してもよいが、１枚配置することが好ましい。同様に、前記後端部用の拡散シートは、複数枚配置してもよいが、１枚配置することが好ましい。前記拡散シートの幅は、前記凹部の幅を１００％としたとき、２６０％以上が好ましく、より好ましくは２９０％以上、さらに好ましくは３２０％以上であり、４６０％以下が好ましく、より好ましくは４３０％以下、さらに好ましくは４００％以下である。
【００２６】
前記前端部用の拡散シートを配置する場合、前記前端部用の拡散シートにより覆われる凹部長さは、前記凹部の前後方向の長さを１００％としたとき、１０％以上が好ましく、より好ましくは１７％以上、さらに好ましくは２４％以上であり、４４％以下が好ましく、より好ましくは３９％以下、さらに好ましくは３４％以下である。また、前記吸収体の凹部の前端部から前記前端部用の拡散シートの後端部までの距離は、１００ｍｍ以上が好ましく、より好ましくは１１０ｍｍ以上、さらに好ましくは１２０ｍｍ以上であり、１７０ｍｍ以下が好ましく、より好ましくは１６０ｍｍ以下、さらに好ましくは１５０ｍｍ以下である。
【００２７】
前記後端部用の拡散シートを配置する場合、前記後端部用の拡散シートにより覆われる凹部長さは、前記凹部の前後方向の長さを１００％としたとき、１０％以上が好ましく、より好ましくは１７％以上、さらに好ましくは２４％以上であり、４４％以下が好ましく、より好ましくは３９％以下、さらに好ましくは３４％以下である。また、前記吸収体の凹部の後端部から前記後端部用の拡散シートの前端部までの距離は、１００ｍｍ以上が好ましく、より好ましくは１１０ｍｍ以上、さらに好ましくは１２０ｍｍ以上であり、１７０ｍｍ以下が好ましく、より好ましくは１６０ｍｍ以下、さらに好ましくは１５０ｍｍ以下である。
【００２８】
前記拡散シートは、体液等を平面方向に拡散できるものであれば特に限定されない。前記拡散シートとしては、フォーム、三次元立体編物、長繊維シート、不織布などが挙げられる。
【００２９】
前記フォームは、多数の細孔を有する。また、前記フォームは、多数の細孔が通気性を有する。前記フォームでは、各細孔は、フォーム表面との貫通孔を有するか、または、隣接する細孔間に貫通孔を有する。なお、各細孔の形状は特に限定されない。また、前記フォームは、非通気性の細孔を有していてもよい。前記フォームとしては、平面方向に連続する細孔を有するフォームが好ましい。つまり、多数の細孔間に貫通孔を有し、平面方向に通気性を有することが好ましい。前記フォームとしては、ポリウレタンフォームが挙げられる。
【００３０】
前記ポリウレタンフォームの見掛け密度は、１００ｋｇ／ｍ3以上が好ましく、より好ましくは１２０ｋｇ／ｍ3以上、さらに好ましくは１３０ｋｇ／ｍ3以上であり、２００ｋｇ／ｍ3以下が好ましく、より好ましくは１８０ｋｇ／ｍ3以下、さらに好ましくは１７０ｋｇ／ｍ3以下である。前記ポリウレタンフォームの見掛け密度が１００ｋｇ／ｍ3以上であれば、透水速度が良好であり、２００ｋｇ／ｍ3以下であれば、透過量が良好となる。見掛け密度とは、通気性細孔および非通気性細孔の双方を含む試料の単位体積当たりの質量である。前記ポリウレタンフォームの見掛け密度は、体積１００ｃｍ3以上の試験片について、その体積と質量を測定し、算出する。
【００３１】
前記ポリウレタンフォームの厚さは、０．５ｍｍ以上が好ましく、より好ましくは１．０ｍｍ以上、さらに好ましくは１．５ｍｍ以上であり、５．０ｍｍ以下が好ましく、より好ましくは４．０ｍｍ以下、さらに好ましくは３．５ｍｍ以下である。前記ポリウレタンフォームの厚さが０．５ｍｍ以上であれば、ポリウレタンフォームの機械的強度が良好となり、５．０ｍｍ以下であれば、ポリウレタンフォームの透水性能が良好となる。前記ポリウレタンフォームの厚さは、デジタルノギスを用いて測定する。
【００３２】
前記ポリウレタンフォームの通気性は、１０Ｌ／ｍｉｎ以上が好ましく、より好ましくは２０Ｌ／ｍｉｎ以上であり、１２０Ｌ／ｍｉｎ以下が好ましく、より好ましくは１００Ｌ／ｍｉｎ以下である。ポリウレタンフォームの通気性が１０Ｌ／ｍｉｎ以上であれば吸収性物品の内側におけるムレが防止できる。前記ポリウレタンフォームの通気性は、ＡＳＴＭ  Ｄ３５７４に準拠して測定する。
【００３３】
前記ポリウレタンフォームとしては、特に限定されず、例えば、発泡法で作製されたもの、抽出法で作製されたもの、Ｗ／Ｏエマルジョン法で作製されたもの等が挙げられる。また、前記ポリウレタンフォームは、厚さ方向に熱圧縮処理が施されているものが好ましい。熱圧縮処理により、フォーム中の細孔構造を形成する各骨格が、圧縮方向に圧縮変形され、折りたたまれたように変形される。これにより、熱圧縮成形後のフォームは、熱圧縮成形される前と比較して、圧縮方向にセル空間が密な状態となり、かつ、セル骨格が水平方向に並ぶ状態となる。そのため、厚さ方向の透水性能がより向上し、かつ、水平方向の拡散性にも優れるものとなる。
【００３４】
前記ポリウレタンフォームは、骨格表面が親水性であることが好ましい。骨格表面が親水性であれば、体液を拡散シート内部へと取込む速度が一層高まり、吸収性物品の吸収速度がより向上する。
【００３５】
骨格表面が親水性であるかどうかの判断は下記の方法により行う。まず、ポリウレタンフォーム（幅１０ｍｍ以上、長さ１０ｍｍ以上）を、シャーレの縁の上に載架する。この際、ポリウレタンフォームに撓みがないようにする。次に、スポイトを用いて、ポリウレタンフォーム上に液滴（０．０５ｍｌ）を１０滴静かに載せ、これらの液滴がポリウレタンフォームに吸収されるまでの時間を測定する。そして、液滴を載せてから５秒以内に、８滴以上の液滴が吸収された場合を親水性であると判断する。なお、液滴には、イオン交換水（表面張力（Ｗｉｌｈｅｌｍｙ法、白金プレート、２０℃、６５％ＲＨ）：７０ｍＮ／ｍ以上）を使用する。
【００３６】
前記骨格表面が親水性であるポリウレタンフォームとしては、例えば、骨格を構成するポリウレタン自体が親水性を有するもの；疎水性のポリウレタンフォームを親水化処理したものが挙げられる。骨格を構成するポリウレタン自体が親水性を有するものとしては、ポリオール成分にポリアルキレンオキシドポリオールを含有するものが挙げられる。疎水性のポリウレタンフォームを親水化処理したものとしては、疎水性のポリウレタンフォームの骨格表面の少なくとも一部が界面活性剤で被覆されたものや、疎水性のポリウレタンフォームをエチレンオキシドのような反応性ガスで処理し、細孔表面に親水基を付与したもの等が挙げられる。
【００３７】
前記界面活性剤としては、アニオン界面活性剤、カチオン界面活性剤、両性界面活性剤、ノニオン界面活性剤が挙げられる。前記アニオン界面活性剤としては、カルボン酸塩、スルホン酸塩、硫酸エステル塩等が挙げられる。前記ノニオン界面活性剤としては、エステル型ノニオン界面活性剤、エーテル型ノニオン界面活性剤、エステル・エーテル型ノニオン界面活性剤等が挙げられる。
【００３８】
前記三次元立体編物としては、樹脂繊維の三次元立体編物（例えば、旭化成せんい社製のフュージョン（登録商標））などが挙げられる。
【００３９】
前記長繊維シートとしては、セルロースアセテート長繊維を含む長繊維シートが挙げられる。セルロースアセテート繊維は、セルロース骨格を有しており、体液との親和性が高いため、体液の取り込み速度、拡散速度が早い。また、セルロース骨格が有する水酸基がアセチル化されており、実質的に吸水性を有さず、体液との親和性が高すぎない。そのため、セルロースアセテート繊維により拡散された体液は、最終的に吸水体に吸収されやすい。
【００４０】
前記不織布としては、スパンボンド不織布が挙げられる。
【００４１】
２．カバーシート
前記吸収性物品は、前記トップシートと前記拡散シートとの間に、カバーシートを有する。前記カバーシートを有することで、前記拡散シートに残存した体液が、トップシートへと移ることが抑制される。これにより、体液吸収後のドライ感がより良好となる。前記カバーシートの平面視形状は前記拡散シートの平面視形状よりも大きく、前記カバーシートが、前記拡散シート全体を覆うように配置されていることが好ましい。前記カバーシートの平面視形状は特に限定されず、矩形状、台形状、円形状、楕円形状などが挙げられる。
【００４２】
前記カバーシートは、基材に、複数の貫通孔が形成されたシートであり、前記基材が、合成樹脂フィルムである。前記合成樹脂フィルムは、不透液性であるため、前記拡散シートに残存した体液が、トップシートへ移ることを防止できる。また、複数の貫通孔を有することにより、トップシートを透過した体液がカバーシート上へと到達した場合でも、この貫通孔を通して体液を拡散シートへと透過させることができる。
【００４３】
合成樹脂フィルムには、ポリオレフィン（例えば、ポリプロピレン、ポリエチレン）、ポリエステル（例えば、ポリエチレンテレフタレート）、ポリアミド（例えば、ポリアミド６、ポリアミド６６）等の樹脂から形成されたフィルムを用いることができる。合成樹脂フィルムは疎水性であることが好ましいが、界面活性剤等により親水処理されていてもよい。合成樹脂フィルムはエンボスされていないことが好ましく、これにより合成樹脂フィルムが破断しにくくなる。
【００４４】
前記合成樹脂フィルムの厚さは、０．０５ｍｍ以上が好ましく、より好ましくは０．０７ｍｍ以上、さらに好ましくは０．１０ｍｍ以上であり、０．４０ｍｍ以下が好ましく、より好ましくは０．３７ｍｍ以下、さらに好ましくは０．３５ｍｍ以下である。前記合成樹脂フィルムの厚さが０．１０ｍｍ以上であれば、機械的強度が高く破れにくくなる。
【００４５】
前記貫通孔は、前記合成樹脂フィルムを貫通するように設けられたものであれば、貫通孔の形成方法は特に限定されない。貫通孔は、合成樹脂フィルムに針や凸型で孔を開けたり、抜き型で孔を開けることにより形成すればよい。また貫通孔は、合成樹脂フィルムに、レーザーを照射して焼いたり、高圧空気を当てることにより形成してもよい。貫通孔は、カバーシートの全体にわたって多数設けられることが好ましい。
【００４６】
前記貫通孔の形状（平面視形状）は特に限定されず、円形、楕円形、長円形、多角形、亜鈴形等が挙げられる。前記貫通孔は、幅方向の長さよりも、前後方向の長さの方が長いことが好ましい。例えば、前後方向に長い楕円形、前後方向に長い長方形が挙げられる。このような形状であれば、カバーシートで体液が幅方向よりも前後方向に拡散しやすくなる。
【００４７】
前記貫通孔の個々の面積は、０．０５ｍｍ2以上が好ましく、より好ましくは０．０８ｍｍ2以上、さらに好ましくは０．１０ｍｍ2以上であり、１．２ｍｍ2以下が好ましく、より好ましくは１．１ｍｍ2以下、さらに好ましくは１．０ｍｍ2以下である。前記カバーシートの全面積に対する前記貫通孔の総面積は、５％以上が好ましく、より好ましくは８％以上、さらに好ましくは１０％以上であり、３０％以下が好ましく、より好ましくは２７％以下、さらに好ましくは２５％以下である。
【００４８】
前記カバーシートの基材は、合成樹脂フィルムと短繊維不織布との積層体であることが好ましい。この場合、前記カバーシートは、短繊維不織布が、前記トップシートに接するように配置される。このように構成すれば、不織布層の毛細管効果によって、トップシートに吸収された体液がカバーシートに速やかに移行する。また、特に、不織布が短繊維から構成されていれば、カバーシートの不織布に移行した尿等が速やかに貫通孔を通って拡散シートに移行しやすくなる。
【００４９】
前記短繊維不織布層と合成樹脂フィルムは接着剤により互いに接合されていることが好ましい。これにより、例えば短繊維不織布と合成樹脂フィルムとを熱接着する場合と比べて、合成樹脂フィルムの破断強度を確保しやすくなる。また、合成樹脂フィルムの熱硬化を防止して、カバーシートの柔軟性を確保することができる。短繊維不織布層と合成樹脂フィルムは、全面塗工された接着剤により互いに接合されていることがより好ましい。これにより短繊維不織布と合成樹脂フィルムの間に体液が滞留することが防止される。
【００５０】
前記短繊維不織布は特に限定されないが、親水性であることが好ましい。前記不織布としては、ポリオレフィン（例えば、ポリプロピレン、ポリエチレン）、ポリエステル（例えば、ポリエチレンテレフタレート）、ポリアミド（例えば、ポリアミド６、ポリアミド６６）等の熱融着性繊維から形成されていることが好ましい。短繊維不織布の構成繊維は、単一成分からなるものでもよく、多成分からなるもの（すなわち複合繊維）であってもよい。
【００５１】
前記短繊維不織布としては、例えば、ポイントボンド不織布、エアスルー不織布、エアレイド不織布、スパンレース不織布等が挙げられる。なお、トップシートからの尿等の引き込み力を高めるために、不織布の繊維間結合には接着剤が用いられないことが好ましく、熱（自己融着を含む）や水流により繊維どうしが結合または交絡された不織布を用いることが好ましい。従って、不織布層は、ポイントボンド不織布、エアスルー不織布、またはスパンレース不織布から構成されていることが好ましい。
【００５２】
前記短繊維不織布の構成繊維は、カバーシートの前後方向に配向していることが好ましい。このように構成されていれば、短繊維不織布内で体液が前後方向に拡散しやすくなる。
【００５３】
前記短繊維不織布は、エンボス加工が施されていることが好ましい。エンボス加工が施されていれば、短繊維不織布による体液の引き込み効果を確保しつつ、短繊維不織布の嵩を抑えて、体液が短繊維不織布内に滞留する量を減らすことができる。そのため、カバーシートからトップシートへ体液が逆戻りする量を減らすことができる。
【００５４】
エンボス加工された短繊維不織布の種類は特に限定されないが、例えばポイントボンド不織布は、熱融着性の短繊維ウェブをエンボスロールで熱圧着することにより、繊維どうしが結合され、不織布に形成される。そのため、ポイントボンド不織布はエンボス加工が施された不織布である。
【００５５】
エンボス加工により形成されるエンボス部の形状や配置は特に限定されないが、エンボス部は任意の形状で散点状に設けられることが好ましい。エンボス部の１つ１つの形状は、円形、楕円形、長円形、多角形、波形、星形等、特に限定されず、これらは規則的な配置パターンで設けられてもよく、ランダムな配置パターンで設けられてもよい。エンボス部が規則的な配置パターンで設けられる場合、エンボス部は、任意の格子の各格子点に配置されることが好ましい。エンボス部は、例えば、１つ当たりの面積が０．０５ｍｍ2〜１０ｍｍ2であることが好ましく、また隣接するエンボス部間の平均離間距離が０．５ｍｍ〜１０ｍｍとなるように設けられることが好ましい。なお、ここで説明したエンボス部の形状や配置は、貫通孔が形成されない状態で規定されるものとする。
【００５６】
前記短繊維不織布にエンボス加工が施されている場合、個々の貫通孔の平面視形状は、個々のエンボス部の平面視形状よりも大きいことが好ましい。貫通孔の平面視形状がエンボス部の平面視形状よりも大きければ、体液がエンボス部で留まることなく貫通孔に移行しやすくなり、また、貫通孔を通って拡散シートに移行しやすくなる。前記カバーシートは、所定面積（例えば５ｃｍ×５ｃｍの領域）当たりの貫通孔の全面積がエンボス部の全面積よりも大きいことが好ましい。これにより体液が貫通孔を通って拡散シートに移行しやすくなる。
【００５７】
前記カバーシートの基材が、合成樹脂フィルムと短繊維不織布との積層体である場合、前記貫通孔に短繊維不織布が貫入していることが好ましい。すなわちカバーシートは、短繊維不織布が合成樹脂フィルムの貫通孔に入り込んでいることが好ましい。このように貫通孔が形成されていれば、合成樹脂フィルムにおいても貫通孔の内面が短繊維不織布で覆われ、体液が短繊維不織布から貫通孔にスムーズに移行しやすくなる。その結果、体液が貫通孔を通って拡散シートにスムーズに移行しやすくなる。
【００５８】
カバーシートのバックシート側表面は、貫通孔の外縁に沿ってバックシート側に突出していることが好ましい。このようにカバーシートが形成されていれば、貫通孔を通過した体液が、貫通孔の外縁に沿ってバックシート側に突出した部分を伝って拡散シートにスムーズに移行しやすくなる。
【００５９】
上記のような貫通孔をカバーシートに形成する方法としては、短繊維不織布と合成樹脂フィルムの積層体に、短繊維不織布側から針や凸型を挿入して、孔を開ける方法が挙げられる。このように貫通孔を形成することにより、短繊維不織布が貫通孔に貫入し、またバックシート側表面が貫通孔の外縁に沿ってバックシート側に突出したカバーシートを簡単に得ることができる。
【００６０】
前記吸収体が、前部、股部および後部を有し、前記股部が前記前部および前記後部よりも幅狭に形成されている場合、前記吸収体の前記股部の最も幅が狭い位置を幅方向に横断する横断線の上方には、前記カバーシートが配置されていないことが好ましい。
【００６１】
また、横漏れの発生を一層低減するには、前記最狭部付近はカバーシートを配置しないことが好ましい。よって、前記カバーシートを配置しない領域は、前記横断線から前後方向へ６５ｍｍ以内が好ましく、より好ましくは６０ｍｍ以内、さらに好ましくは５５ｍｍ以内である。
【００６２】
３．繊維シート
前記吸収性物品は、前記拡散シートと前記カバーシートとの間に、親水性繊維を含有する繊維シートが配置されていることが好ましい。このように構成すれば、前記カバーシートの短繊維不織布内の体液が、より親水性の高い繊維シートへと移行し、カバーシート内の体液を拡散シートへと移行させやすくなる。
【００６３】
前記親水性繊維としては、セルロース、レーヨン、コットン等の親水性材料からなる繊維；ポリオレフィン（ポリプロピレン、ポリエチレン）、ポリエステル、ポリアミド等の疎水性材料からなり、繊維の表面が界面活性剤により親水化された繊維が挙げられる。
【００６４】
前記繊維シート中の前記親水性繊維の含有量は、１０質量％以上が好ましく、より好ましくは１５質量％以上、さらに好ましくは２０質量％以上である。前記繊維シートが、親水性繊維のみから構成されることも好ましい。
【００６５】
前記繊維シートに含有される親水性繊維は、前記カバーシートの短繊維不織布を構成する繊維よりも、親水性が高いことが好ましい。前記親水性は、各繊維の溶解度パラメーター（ＳＰ値）で規定できる。具体的には、水のＳＰ値と前記親水性繊維のＳＰ値との差の絶対値が、水のＳＰ値と前記短繊維不織布を構成する繊維のＳＰ値との差の絶対値が小さいことが好ましい。
【００６６】
前記繊維シートとしては、例えば、紙シート（例えば、ティッシュペーパーや薄葉紙）が挙げられる。前記繊維シートの平面視形状は特に限定されず、矩形状、台形状、円形状、楕円形状などが挙げられる。前記繊維シートの平面視形状は前記カバーシートの平面視形状よりも大きいことが好ましい。また、上下方向において、前記カバーシート全体の下方に、前記繊維シートが配置されていることが好ましい。
【００６７】
４．トップシート
前記トップシートは、吸収性物品の着用の際に着用者側に位置するシートである。前記トップシートは、透液性であればその材料は特に限定されない。前記トップシートの平面視形状は特に限定されず、吸収体の形状や、サイドシートの有無に応じて調整すればよい。
【００６８】
前記トップシートとしては、親水性の不織布、織布、編布が挙げられる。前記親水性の不織布としては、セルロース、レーヨン、コットン等の親水性繊維から形成された不織布；ポリオレフィン（ポリプロピレン、ポリエチレン）、ポリエステル、ポリアミド等の疎水性繊維から形成された不織布であって、疎水性繊維の表面が界面活性剤により親水化された不織布が挙げられる。
【００６９】
５．バックシート
前記バックシートは、吸収性物品の着用の際に着用者とは反対側、すなわち外側に位置するシートである。前記バックシートは、不透液性であればその材料は特に限定されない。なお、本発明において、不透液性には撥水性も含まれる。前記バックシートの平面視形状は特に限定されず、吸収体の形状に応じて調整すればよい。
【００７０】
前記バックシートとしては、疎水性の不織布、プラスチックフィルム、プラスチックフィルムと不織布との積層体が挙げられる。前記疎水性の不織布としては、ポリオレフィン（ポリプロピレン、ポリエチレン）、ポリエステル、ポリアミド等の疎水性繊維から形成された不織布が挙げられる。前記プラスチックフィルムとしては、ポリオレフィン（ポリプロピレン、ポリエチレン）、ポリエステル、ポリアミド等の樹脂から形成されたフィルムが挙げられる。前記プラスチックフィルムに積層される不織布は、親水性、疎水性のいずれでもよい。
【００７１】
６．吸収体
前記吸収体は、前記トップシートおよび前記バックシートの間に配置される。前記吸収体は、体液を吸収し、保持する。前記吸収体は、前部、股部および後部を有する。前記前部は、吸収性物品の着用の際に着用者の腹側に位置する部分である。前記後部は、吸収性物品の着用の際に着用者の背側に位置する部分である。前記股部は、前記前部と前記後部との間に位置し、吸収性物品の着用の際に着用者の股下に位置する部分である。
【００７２】
前記吸収体の平面視形状は特に限定されない。前記吸収体は、前記股部が前記前部および前記後部よりも幅狭に形成されていることが好ましい。前記前部の最も幅の広い位置の幅を１００％としたとき、前記股部の最も幅の狭い位置の幅は、４５％以上が好ましく、より好ましくは４８％以上、さらに好ましくは５０％以上であり、６０％以下が好ましく、より好ましくは５７％以下、さらに好ましくは５５％以下である。前記最狭部の幅は、９９ｍｍ以上が好ましく、より好ましくは１０５ｍｍ以上、さらに好ましくは１１０ｍｍ以上であり、１３２ｍｍ以下が好ましく、より好ましくは１２５ｍｍ以下、さらに好ましくは１２１ｍｍ以下である。前記吸収体の平面視形状は、砂時計型、ひょうたん型が好ましい。
【００７３】
前記吸収体の前後方向の長さは、４８０ｍｍ以上が好ましく、より好ましくは５００ｍｍ以上、さらに好ましくは５２０ｍｍ以上であり、６００ｍｍ以下が好ましく、より好ましくは５８０ｍｍ以下、さらに好ましくは５６０ｍｍ以下である。前記吸収体の前部および後部の最大幅は、１９０ｍｍ以上が好ましく、より好ましくは２００ｍｍ以上、さらに好ましくは２１０ｍｍ以上であり、２５０ｍｍ以下が好ましく、より好ましくは２４０ｍｍ以下、さらに好ましくは２３０ｍｍ以下である。
【００７４】
前記吸収体は、トップシート側面に、前後方向に延びる凹部を有することが好ましい。前記凹部を有することで、吸収体に到達した体液を、前記凹部内にて、直ちに前後方向に拡散することができる。前記凹部の平面視形状は、矩形状、角丸矩形状が好ましい。
【００７５】
前記凹部の深さは特に限定されないが、吸収体の厚さを１００％としたとき、凹部の深さ（吸収体表面から凹部の底までの距離）は、３５％以上が好ましく、より好ましくは４０％以上、さらに好ましくは４５％以上である。前記凹部は、吸収体を厚さ方向貫通してもよい。つまり、前記凹部には、開口（貫通孔）が含まれる。
【００７６】
前記凹部の前後方向の長さは、吸収体の前後方向の長さを１００％としたとき、３０％以上が好ましく、より好ましくは３５％以上、さらに好ましくは４０％以上であり、６０％以下が好ましく、より好ましくは５５％以下、さらに好ましくは５０％以下である。
【００７７】
前記凹部は、少なくとも１つ設けられていればよい。複数の凹部を幅方向に並べて配置してもよいが、吸収体の幅方向略中央に、１つの凹部を設けることが好ましい。前記凹部の幅は、前記最狭部の幅を１００％としたとき、１３％以上が好ましく、より好ましくは１５％以上、さらに好ましくは１７％以上であり、２４％以下が好ましく、より好ましくは２２％以下、さらに好ましくは２０％以下である。前記凹部の幅は１５ｍｍ以上が好ましく、より好ましくは１７ｍｍ以上、さらに好ましくは１９ｍｍ以上であり、２８ｍｍ以下が好ましく、より好ましくは２５ｍｍ以下、さらに好ましくは２３ｍｍ以下である。
【００７８】
前記凹部は、前記股部の最も幅が狭い部分を幅方向に横断する横断線と交差するように設けられていることが好ましい。前記最狭部は、使用者の排尿口付近に位置する。また、前記最狭部は、吸収体の幅が狭いため、最も横漏れが生じやすい部分である。この最狭部に凹部を設けることで、最狭部に到達した体液を直ちに前後方向へ拡散できるため、股部での横漏れを抑制できる。なお、前記吸収体が、最狭部を複数有する場合や、前後方向に一定の長さを有するように最狭部が形成されている場合、前記吸収体の前後方向中央部に最も近い最狭部に横断線を引くこととする。
【００７９】
前記凹部と前記横断線とが交差する位置は特に限定されないが、前記凹部の前端部を０％、後端部を１００％としたとき、前記横断線との交点が３０％〜７０％に位置することが好ましく、より好ましくは４０％〜６０％、さらに好ましくは４５％〜５５％である。前記横断線との交点が前記凹部の３０％〜７０％に位置するように設ければ、最狭部に到達した体液を、吸収体の前部および後部に均等に分散させることができる。
【００８０】
前記凹部は、前記吸収体の前後方向に対する相対位置として、吸収体の前側端を０％、後側端を１００％としたとき、前記凹部の前端部が２０％〜３５％の範囲（より好ましくは２５％〜３０％の範囲）に位置し、前記凹部の後端部が６０％〜７５％の範囲（より好ましくは６５％〜７０％の範囲）に位置することが好ましい。
【００８１】
前記吸収体は、１層のみでもよいし、２層以上でもよい。前記吸収体を２層以上とする場合、最もトップシート側に位置する吸収体に凹部を設ける。なお、前記凹部を開口とする場合には、吸収体を２層とすることが好ましい。また、前記開口の下方には、他の吸収体が配置されていることが好ましい。
【００８２】
前記吸収体は、尿等の排泄物を吸収できる吸収性材料を含むものであれば特に限定されない。前記吸収体としては、例えば、吸収性材料を所定の形状に成形した成形体、吸収性材料を紙シート（例えば、ティッシュペーパーや薄葉紙）や液透過性不織布シート等のシート部材で覆ったものを用いることができる。
【００８３】
前記吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ポリエチレンテレフタレート等のポリエステル繊維、ポリアミド繊維等の熱融着性繊維が含まれてもよい。これらの熱融着性繊維は、尿等の体液との親和性を高めるために、界面活性剤等により親水化処理がされていてもよい。
【００８４】
前記吸収性材料は、尿等の吸収速度を高める点から、親水性繊維を含むことが好ましい。また、吸収容量を高める点からは、吸収性材料は吸水性樹脂を含むことが好ましい。吸収性材料は、例えば、親水性繊維の集合体に吸水性樹脂を混合または散布したものを用いることが好ましい。
【００８５】
７．吸収性物品
本発明の吸収性物品としては、失禁パッド、使い捨ておむつ、生理用ナプキン、使い捨ておむつ本体や生理用ナプキンに取り付けてしようする使い捨て補助パッドなどが挙げられる。
【００８６】
前記吸収性物品が、失禁パッド、生理用ナプキンまたは使い捨て補助パッドである場合、例えば、透液性のトップシートと不透液性のバックシートとの間に、吸収体および拡散シートが配置される。失禁パッド、生理用ナプキンまたは使い捨て補助パッドの形状としては、砂時計型、ひょうたん型などが挙げられる。また、必要に応じて、前記透液性のトップシートの幅方向両側に不透液性のサイドシートが設けられていてもよい。サイドシートは、トップシートの幅方向両側の上面に接合され、接合点より幅方向内方のサイドシートは、吸収体の両側縁に沿って一対の立ち上がりフラップを形成する。
【００８７】
前記吸収性物品が使い捨ておむつである場合、使い捨ておむつとしては、例えば、後背部または前腹部の左右に一対の止着部材が設けられ、当該止着部材により着用時にパンツ型に形成するテープ型使い捨ておむつ；前腹部と後背部とが接合されることによりウエスト開口部と一対の脚開口部とが形成されたパンツ型使い捨ておむつ；などが挙げられる。
【００８８】
吸収性物品が、使い捨ておむつである場合、使い捨ておむつは、例えば、内側シートと外側シートとからなる積層体が前腹部と後背部とこれらの間に位置する股部とからなるおむつ本体を形成し、前記股部に、前記吸水体と拡散シートが配置されていてもよい。また、使い捨ておむつは、例えば、トップシートとバックシートとの間に、吸収体および拡散シートが配置された積層体からなり、この積層体が前腹部と後背部とこれらの間に位置する股部とを有していてもよい。前記内側シートは、親水性または撥水性であることが好ましく、前記外側シートは、撥水性であることが好ましい。
【００８９】
前記使い捨ておむつには、両側縁部に沿って、立ち上がりフラップが設けられていることが好ましい。立ち上がりフラップを設けることにより、体液の横漏れを防ぐことができる。立ち上がりフラップは、トップシートの幅方向両側に設けられたサイドシートの内方端が立ち上げられて、形成されてもよい。前記立ち上がりフラップおよびサイドシートは、撥水性であることが好ましい。
【００９０】
８．具体例
次に、図面を参照して、本発明の吸収性物品について説明する。本発明に使用されるカバーシートを図１、２を参照して説明する。本発明の吸収性物品について、使い捨て補助パッドを例に挙げ、図３〜１１を参照して説明する。なお、図では、矢印ｘを幅方向とし、矢印ｙを前後方向と定義付ける。また、矢印ｘ，ｙにより形成される面上の方向を、平面方向と定義付ける。また、矢印ｘ，ｙにより形成される面に対して垂直方向が上下方向ｚを表す。
【００９１】
８−１．カバーシート
図１はカバーシートの一例の平面図である。図２は、図１のＶ−Ｖ線の断面の拡大図である。前記カバーシート２０の基材は、短繊維不織布２１と、合成樹脂フィルム２２との積層体である。前記短繊維不織布２１が上側（トップシート側）に位置している。前記短繊維不織布２１には、エンボス加工が施されており、複数のエンボス部２４が形成されている。
【００９２】
前記基材には複数の貫通孔２３が形成されている。なお、図１では、貫通孔は長方形状に図示しているが、平面視形状は、円形、楕円形でもよい。図１では、貫通孔が前後方向、幅方向に並ぶように配置されているが、これはランダムに形成してもよい。また、貫通孔の大きさ、個数は適宜調整すればよい。
【００９３】
カバーシート２０は、図２に示すように、貫通孔２３に短繊維不織布層２１が貫入している。カバーシート２０のバックシート側表面２０Ｂは、貫通孔２３の外縁２３Ｅに沿ってバックシート側に突出している。カバーシート２０のトップシート側表面２０Ａは、貫通孔２３の外縁２３Ｅでバックシート側に向かって貫通孔２３の中心側に傾斜している。
【００９４】
８−２．第１実施態様
図３は、吸収性物品（使い捨て補助パッド）の平面図を表す。図４は、図３の吸収性物品のＡ−Ａ線の模式的断面図を表す。図５は、図３の吸収性物品のＢ−Ｂ線の模式的断面図を表す。
【００９５】
補助パッド１は、液透過性のトップシート２と、不透液性のバックシート４と、これらの間に配置された吸収体６と、前記トップシート２と前記吸収体６との間に配置された拡散シート８と、前記トップシート２と前記拡散シート８との間に配置されたカバーシート２０とを有している。
【００９６】
前記トップシート２の幅方向ｘの両側縁には、補助パッド１の前後方向ｙに延在するサイドシート１０が接合している。サイドシート１０は、液不透過性のプラスチックフィルムや撥水性不織布等により構成される。サイドシート１０には、補助パッド１の幅方向内方端に起立用弾性部材１２が設けられている。補助パッド１の使用時には、起立用弾性部材１２の収縮力によりサイドシート１０の内方端が着用者の肌に向かって立ち上がり、これにより体液の横漏れが防止される。
【００９７】
前記吸収体６は、前部６１、股部６２および後部６３を有し、前記股部６２が前記前部６１および前記後部６３よりも幅狭に形成されている。図４、５では、吸収体６が１層であるが、吸収体６は複層設けてもよい。図３では、吸収体６の平面視形状が砂時計型であるが、ひょうたん型でもよい。
【００９８】
前記拡散シート８は、前記拡散シート８の平面視形状の全体が、前記吸収体６の上方に上下方向に重なるように配置されている。前記拡散シート８は、前記股部の最も幅が狭い部分を幅方向に横断する横断線（一点鎖線）Ｃの上方には配置されていない。図３では、拡散シート８の平面視形状を矩形状としているが、台形状、円形状、楕円形状としてもよい。図３では、拡散シート８を１枚のみ配置しているが、複数枚配置してもよい。また、図３では、拡散シート８を、吸収体６の横断線Ｃよりも後側にのみ配置しているが、前記横断線Ｃよりも前側に配置してもよい。
【００９９】
前記カバーシート２０は、図１、２に示したものが配置されている。前記カバーシート２０の基材は、短繊維不織布２１と、合成樹脂フィルム２２との積層体であり、前記短繊維不織布２１が上側（トップシート側）に位置している。前記基材には複数の貫通孔（図示せず）が形成されている。前記カバーシート２０は、前記拡散シート８全体を覆うように配置されている。前記カバーシート２０は、前記横断線Ｃの上方には配置されていない。図５では、カバーシート２０の平面視形状を矩形状としているが、台形状、円形状、楕円形状としてもよい。
【０１００】
８−３．第２実施態様
図６は、吸収性物品（使い捨て補助パッド）の平面図を表す。図７は、図６の吸収性物品のＡ−Ａ線の模式的断面図を表す。図８は、図６の吸収性物品のＢ−Ｂ線の模式的断面図を表す。下記の説明において、図３〜図５の実施態様と重複する部位は、同一の符号を付し、説明は省略する。
【０１０１】
前記吸収体６は、前部６１、股部６２および後部６３を有し、前記股部６２が前記前部６１および前記後部６３よりも幅狭に形成されている。前記吸収体６は、トップシート側面に凹部（貫通孔）６４を有する。前記凹部６４は、前記股部の最も幅が狭い部分を幅方向に横断する横断線（一点鎖線）Ｃと交差するように設けられている。図６では、吸収体６が１つの凹部６４を有するが、凹部６４は複数設けてもよい。図７、８では、吸収体６が２層であるが、吸収体６は３層以上設けてもよい。図６では、吸収体６の平面視形状が砂時計型であるが、ひょうたん型でもよい。
【０１０２】
前記補助パッド１では、前記吸収体６の後端部６５を覆う拡散シート８を、１枚配置している。前記拡散シート８は、前記吸収体６の前記横断線Ｃの上方には配置されていない。図６では、拡散シート８の平面視形状を矩形状としているが、台形状、円形状、楕円形状としてもよい。図６では、拡散シート８を１枚のみ配置しているが、複数枚配置してもよい。また、前記吸収体６の前端部６６を覆う拡散シートを配置してもよい。前記カバーシート２０は、前記横断線Ｃの上方には配置されていない。
【０１０３】
８−４．第３実施態様
図９は、吸収性物品（使い捨て補助パッド）の平面図を表す。図１０は、図９の吸収性物品のＡ−Ａ線の模式的断面図を表す。図１１は、図９の吸収性物品のＢ−Ｂ線の模式的断面図を表す。下記の説明において、図３〜図８の実施態様と重複する部位は、同一の符号を付し、説明は省略する。
【０１０４】
補助パッド１は、拡散シート８とカバーシート２０との間に配置された繊維シート１８を有する。前記繊維シート１８の平面視形状は、前記カバーシート２０の平面視形状と同一である。上下方向において、前記カバーシート２０全体の下方に、前記繊維シート１８が配置されている。前記繊維シート１８の平面視形状は、カバーシート２０の平面視形状よりも大きく形成してもよい。
【産業上の利用可能性】
【０１０５】
本発明の吸収性物品は、例えば、人体から排出される体液を吸収するために用いられる吸収性物品に好適に使用でき、特に失禁パッド、使い捨ておむつ、生理用ナプキン、使い捨ておむつや生理用ナプキンに取り付けて使用する使い捨て補助パッドなどとして好適に利用できる。
【符号の説明】
【０１０６】
１：吸収性物品（使い捨て補助パッド）、２：トップシート、４：バックシート、６：吸収体、８：拡散シート、１０：サイドシート、１４：下層吸収体、１８：繊維シート、２０：カバーシート、２１：短繊維不織布、２２：合成樹脂フィルム、２３：貫通孔、２４：エンボス部、６１：前部、６２：股部、６３：後部、６４：凹部、６５：後端部、６６：前端部、Ｃ：股部の最も幅が狭い部分を幅方向に横断する横断線
【図１】
2018057654.tif 000003
【図２】
2018057654.tif 000004
【図３】
2018057654.tif 000005
【図４】
2018057654.tif 000006
【図５】
2018057654.tif 000007
【図６】
2018057654.tif 000008
【図７】
2018057654.tif 000009
【図８】
2018057654.tif 000010
【図９】
2018057654.tif 000011
【図１０】
2018057654.tif 000012
【図１１】
2018057654.tif 000013